(57)【要約】【課題】  軽量で安価に提供することが可能なエレベータ用リタイヤリングカム装置を得る。【解決手段】  エレベータ昇降路内を昇降するかごに設けられ、乗場側の解錠コロに係合することによって乗場の戸を解錠するカムと、このカムに連動し、弾性体により一側に付勢された吸着鉄片と、内部にベアリング支持された永久磁石を有し、この永久磁石の磁極の向きによって弾性体の付勢力に抗して吸着鉄片を吸引する磁力発生装置と、永久磁石の磁極の向きを切換える切換装置とを備える。【選択図】      図１
2006016183.tif 000002
【特許請求の範囲】
【請求項１】
エレベータのかごに設けられ、乗場側の解錠コロに係合することによって乗場の戸を解錠するカムと、このカムに連動し、弾性体により一側に付勢された吸着鉄片と、内部にベアリング支持された永久磁石を有し、この永久磁石の磁極の向きによって前記弾性体の付勢力に抗して前記吸着鉄片を吸引する磁力発生装置と、前記永久磁石の磁極の向きを切換える切換装置とを備えたことを特徴とするエレベータ用リタイヤリングカム装置。
【請求項２】
磁力発生装置は、円柱状を呈する永久磁石と、この永久磁石の外周面に接触することによって前記永久磁石を回動可能に支持する摺動ベアリングと、前記永久磁石の一側面に設けられたツマミとを備えたことを特徴とする請求項１に記載のエレベータ用リタイヤリングカム装置。
【請求項３】
切換装置は、磁力発生装置の一側に設けられたモータと、このモータの主軸に連動するナットを有する回動ナット付減速機と、この回動ナット減速機の前記ナットに係合し、一端部が磁力発生装置のツマミに回動可能に設けられたネジ棒とを備えたことを特徴とする請求項２に記載のエレベータ用リタイヤリングカム装置。
【請求項４】
切換装置は、一端部が磁力発生装置のツマミに回動可能に設けられ、第二の弾性体によって前記ツマミ側に付勢されたロッドと、このロッドの他端部に設けられた吸着鉄片と、前記第二の弾性体の付勢力に抗して前記吸着鉄片を吸引する小型の電磁石とを備えたことを特徴とする請求項２に記載のエレベータ用リタイヤリングカム装置。
【発明の詳細な説明】
【技術分野】
【０００１】
この発明は、エレベータのかごが乗場に停止した際に、その乗場に設置された乗場の戸を解錠するエレベータ用リタイヤリングカム装置に関するものである。
【背景技術】
【０００２】
エレベータのかごが他の階床の乗場に停止している間や、かごが昇降路内を移動している間は、建築物の各階床の乗場に設けられた乗場の戸には鍵が掛けられており、乗場でかごの到着を待っている利用客が乗場から昇降路内へ落下することのないように、乗場には安全対策が施されている。したがって、利用客の乗降のためにかごがある乗場に停止した場合、戸開の前に乗場の戸を解錠する必要があり、かご側に乗場の戸の解錠装置が備えられたものがある。このような乗場の戸の解錠装置として従来から使用されているエレベータ用リタイヤリングカム装置には、上部に設けられた電磁石の励磁の有無によって可動鉄心を上下に移動させるとともに、この可動鉄心の上下動を作動竿、ヒンジ及び腕を介してシューに伝えることによって、シューを乗場側に設けられた乗場の戸の扉開錠機構に係合させるものがある（例えば、特許文献１参照）。
【０００３】
【特許文献１】実開昭５１−１０５７７７号公報
【発明の開示】
【発明が解決しようとする課題】
【０００４】
最近のエレベータ装置は、特許文献１記載のエレベータ用リタイヤリングカム装置に代わって、乗場の戸とかご戸とを連動させる係合装置及びこれらの戸を開閉する開閉装置に乗場の戸の解錠装置を備える方式が一般化されてきている。しかし、現に稼動しているエレベータ装置には、乗場の戸の解錠装置として特許文献１記載のエレベータ用リタイヤリングカム装置を搭載したものも多数あり、故障や劣化等によるリタイヤリングカム装置の取替え需要も依然として多いのが実情である。なお、特許文献１記載のエレベータ用リタイヤリングカム装置を上記新方式の解錠装置に取り替えるには、かごに設けられた解錠装置と各階床の乗場に設置された扉開錠装置とを全て交換する必要があり、その交換に多大な労力とコストとを要するとともに、エレベータ装置を長期間停止しなければならないという問題もあり、現実的ではなかった。したがって、現在でもリタイヤリングカム装置が故障等した際には、従来から使用されているリタイヤリングカム装置を設置することとなるが、従来のリタイヤリングカム装置は、その上部に大型で重い電磁石が備えられているため、バランスが悪く、製造や据付に際し作業性が悪いという問題があった。
【０００５】
この発明は、上述のような課題を解決するためになされたもので、その目的は、軽量で安価なエレベータ用リタイヤリングカム装置を提供することである。
【課題を解決するための手段】
【０００６】
この発明に係るエレベータ用リタイヤリングカム装置は、エレベータのかごに設けられ、乗場側の解錠コロに係合することによって乗場の戸を解錠するカムと、このカムに連動し、弾性体により一側に付勢された吸着鉄片と、内部にベアリング支持された永久磁石を有し、この永久磁石の磁極の向きによって弾性体の付勢力に抗して吸着鉄片を吸引する磁力発生装置と、永久磁石の磁極の向きを切換える切換装置とを備えたものである。
【発明の効果】
【０００７】
この発明は、エレベータのかごに設けられ、乗場側の解錠コロに係合することによって乗場の戸を解錠するカムと、このカムに連動し、弾性体により一側に付勢された吸着鉄片と、内部にベアリング支持された永久磁石を有し、この永久磁石の磁極の向きによって弾性体の付勢力に抗して吸着鉄片を吸引する磁力発生装置と、永久磁石の磁極の向きを切換える切換装置とを備える構成としたことで、軽量で安価なエレベータ用リタイヤリングカム装置を提供することができる。
【発明を実施するための最良の形態】
【０００８】
実施の形態１．
図１は、この発明の実施の形態１におけるエレベータ用リタイヤリングカム装置の斜視図である。図において、建築物の各階に設けられたエレベータ乗場には、乗場にいる利用客が昇降路内に落下することを防止するため、乗場と昇降路との間に乗場の戸（図示せず）が設置されており、エレベータのかご１が他の階床の乗場に停止している間や、かご１が昇降路内を移動している間は、この乗場の戸には鍵が掛けられている。この乗場の戸を開閉する乗場の戸開閉装置（図示せず）や、この乗場の戸に鍵を掛けるロック機構（図示せず）は、乗場出入口が形成された昇降路壁に設けられ、乗場の戸の上方に渡って配置された乗場の戸開閉装置桁２に備えられている。また、ロック機構から乗場の戸開閉装置桁２の一側に延設された解錠軸３ａは、その端部に、軸方向と直交する方向にコロ腕３ｂを介して解錠コロ３ｃが設けられている。この解錠軸３ａとコロ腕３ｂと解錠コロ３ｃとは、解錠軸３ａを中心に所定の角度内回動可能に設けられており、解錠コロ３ｃの位置によって乗場の戸の施錠と解錠とが行われるように構成されている。
【０００９】
また、昇降路内を昇降するかご１は、乗場に停止した際に乗場の戸と対向するようにかご戸（図示せず）が設けられており、このかご戸を開閉するモータ４等からなるかご戸開閉装置が、かご戸の上方に渡って設けられたかご戸開閉装置桁５に設置されている。なお、このかご戸開閉装置桁５は、かご１が乗場に停止した際に乗場の戸開閉装置桁２に対向するように配置されている。
【００１０】
次に、かご戸開閉装置桁５の一側に設けられ、かご１が乗場に停止した際にその乗場に設置された乗場の戸を解錠するリタイヤリングカム装置について詳細に説明する。
かご戸開閉装置桁５の一端面には、略直方体状を呈するリンク受金６が立設されており、このリンク受金６の上端部にリンク７ａが、また、下端部にリンク７ｂがそれぞれ回動可能に支持されている。ここで、リンク７ａは、回動軸がかご戸開閉装置桁５の長手方向と平行となるようにその中央部がリンク受金６に支持されており、一端部が反乗場側に、また、他端部が乗場側に突出している。一方、リンク７ｂは、回動軸がリンク７ａの回動軸と平行となるようにその一端部がリンク受金６に支持され、その他端部は乗場側に突出している。互いに略平行に配置されたリンク７ａ及び７ｂは、乗場側に突出するそれぞれの他端部が、リンク受金６に対して略平行に配置された略直方体状を呈するカム８に回動可能に固定されており、リンク７ａ及び７ｂが回動することにより、カム８とリンク受金６との距離が変化する。なお、このカム８は、かご１が乗場に停止した際に、解錠コロ３ｃに対向するように配置されている。
【００１１】
また、リンク受金６の上方には、リンク受金６の上端部に固定された支持板９を介して磁力発生装置１０が設けられている。この磁力発生装置１０は、リンク７ａ一端部の直上部に配置されており、その一側面に設けられたツマミ１０ａを所定の位置に合わせることにより、その下面に磁力が発生するように構成されている。また、磁力発生装置１０の下方には、磁力発生装置１０の下面と所定の間隔を有するバネ押え１１が設けられており、このバネ押え１１とバネ押え１１のさらに下方に配置されたバネ押え１２ａとの間に、コイルバネ１３等からなる弾性体が介在されている。即ち、バネ押え１２ａは、コイルバネ１３により常時下方に付勢されている。また、このバネ押え１２ａには、バネ押え１２ａから下方に伸びるロッド１２ｂが設けられており、このロッド１２ｂの下端部に、リンク７ａの他端部が回動可能に固定されている。また、磁力発生装置１０の下面とバネ押え１１との間には、コイルバネ１３の下方に配置されたバネ押え１２ａと互いに連動して上下動する吸着鉄片１２ｃが設けられている。
【００１２】
磁力発生装置１０の反乗場側には、磁力発生装置１０に固定された取付台１４ａとこの取付台１４ａに固定された取付板１４ｂとを介して、磁力発生装置１０のツマミ１０ａの切換を行う切換装置１５が設けられている。この切換装置１５は、取付台１４ａ及び取付板１４ｂを介して磁力発生装置１０の一側に固定されたモータ１５ａと、その内部に備えられたナット（図示せず）をモータ１５ａの主軸の回動に連動して回動させる回動ナット付減速機１５ｂと、この回動ナット付減速機１５ｂの内部に備えられたナットに係合し、先端部が磁力発生装置１０のツマミ１０ａにピン接続されたネジ棒１５ｃとから構成されている。
【００１３】
次に、上記のように構成されたエレベータ用リタイヤリングカム装置の動作について説明する。
図２はこの発明の実施の形態１におけるエレベータ用リタイヤリングカム装置の動作を説明するための図、図３は図２における磁力発生装置１０の詳細図であり、それぞれ、かご１が昇降路内を走行している場合、即ち、乗場の戸が施錠されている場合の状態を示したものである。図において、磁力発生装置１０は、略円柱状を呈し、中心軸が略水平となるように配置された永久磁石１０ｂと、筐体部１０ｃに設けられ、永久磁石１０ｂの外周面に接触することによってこの永久磁石１０ｂを回動可能に支持する摺動ベアリング１０ｄと、永久磁石１０ｂの対向する側面のうちの一側面に設けられた前述したツマミ１０ａとが備えられており、ツマミ１０ａの角度を変えることにより、磁力発生装置１０内部の永久磁石１０ｂが回動し、永久磁石１０ｂの磁極の向きが変わる。また、磁力発生装置１０のツマミ１０ａは、切換装置１５のネジ棒１５ｃの先端部に回動可能に連結されている。ここで、図２に示すように、切換装置１５のモータ１５ａ及び回動ナット付減速機１５ｂによってネジ棒１５ｃが反乗場側に移動すると、ネジ棒１５ｃの先端部に連結されたツマミ１０ａが、ネジ棒１５ｃに連動して反乗場側に傾斜する。即ち、磁力発生装置１０の永久磁石１０ｂは、ツマミ１０ａが回転することによって摺動ベアリング１０ｄに案内されてツマミ１０ａと同方向に回転する。ここで、ツマミ１０ａを反乗場側に約４５度傾斜させると、図３に示すように、永久磁石１０ｂのＳ極が下部に、また、Ｎ極が上部に配置され、磁力発生装置１０の下面に永久磁石１０ｂによる吸引力が発生する。
【００１４】
磁力発生装置１０の内部に備えられた永久磁石１０ｂの磁極の向きによって磁力発生装置１０の下面に永久磁石１０ｂによる吸引力が発生すると、磁力発生装置１０の下面とバネ押え１１との間に配置された吸着鉄片１２ｃは、この吸引力に引き寄せられ、コイルバネ１３の付勢力に抗して磁力発生装置１０の下面に接触するまで上方に移動する。リンク７ａの一端部に連結されたロッド１２ｂは、この吸着鉄片１２ｃに連動して吸着鉄片１２ｃとともに上方に移動し、リンク７ａの一端部を上方に持ち上げる。すると、リンク７ａの他端部に連結されたカム８は、リンク７ａの他端部が下方に移動することによりかご１側に移動し、各階床の乗場に設けられた解錠コロ３ｃとカム８との間に所定の間隙が形成される。即ち、この状態では、かご１が乗場を通過する際にカム８と解錠コロ３ｃとが接触することはない。
【００１５】
また、図４はこの発明の実施の形態１におけるエレベータ用リタイヤリングカム装置の動作を説明するための図、図５は図４における磁力発生装置１０の詳細図であり、それぞれ、かご１がある乗場に停止し、乗場の戸の戸開が行われる場合、即ち、乗場の戸が解錠された場合の状態を示したものである。図において、切換装置１５のモータ１５ａ及び回動ナット付減速機１５ｂによってネジ棒１５ｃが乗場側に移動し、ネジ棒１５ｃの先端部に連結された磁力発生装置１０のツマミ１０ａが、図２及び図３の状態から反時計回りに約９０度回転すると、永久磁石１０ｂは、摺動ベアリング１０ｄに案内されてツマミ１０ａと同方向に約９０度回転する。ここで、ツマミ１０ａを乗場側に約４５度傾斜させると、図５に示すように、永久磁石１０ｂのＮ極及びＳ極が略水平となるように配置され、磁力発生装置１０の下面に発生していた吸引力が消滅する。
【００１６】
磁力発生装置１０のツマミ１０ａを乗場側に約４５度傾けることによって、磁力発生装置１０の下面に発生していた、吸着鉄片１２ｃを吸引する吸引力が消滅すると、バネ押え１２ａは、コイルバネ１３の付勢力によって下方へ移動し、これに連動してリンク７ａの一端部も下方に移動する。すると、リンク７ａ及び７ｂは、一端部側が上方となるように傾斜した状態から略水平状態となり、リンク７ａの他端部に連結されたカム８は、図２及び図３の場合より乗場側に移動する。この状態でかご１が乗場に停止すると、カム８は乗場側に設けられた解錠コロ３ｃに係合し、解錠コロ３ｃが乗場側に押される。このようにして乗場の戸が解錠される。
【００１７】
この発明の実施の形態１によれば、磁力発生装置１０と切換装置１５とによって、カム８に連動する吸着鉄片１２ｃを弾性体の付勢力に抗して駆動することが可能となるため、従来から使用されていた大型の電磁石を使用する場合と比較して、リタイヤリングカム装置全体を軽量化することができ、製造や据付に際し作用性が大幅に向上する。また、この磁力発生装置１０に備えられた永久磁石１０ｂは、その外周面が摺動ベアリング１０ｄによってベアリング支持されているため、ツマミ１０ａの切換、即ち、永久磁石１０ｂの磁極の向きの切換に要する力を小さくすることができる。このため、切換装置１５に使用されるモータ１５ａを小型にすることが可能となり、モータ１５ａの消費電力及び作動時の騒音を低減することができる。また、既設のエレベータ装置に使用されているリタイヤリングカム装置が故障等した場合でも、乗場側のロック機構等を交換する必要はなく、交換作業に要する時間とコストとを削減することが可能である。なお、磁力発生装置１０は、定盤等に固定するマグネットスタンド等で応用することも可能である。
【００１８】
実施の形態２．
図６は、この発明の実施の形態２におけるエレベータ用リタイヤリングカム装置の要部正面図である。図において、磁力発生装置１０の反乗場側には、磁力発生装置１０に固定された取付台１４ｃを介して、磁力発生装置１０のツマミ１０ａの切換を行う切換装置１６が設けられている。この切換装置１６は、取付台１４ｃの反磁力発生装置１０側に設けられた小型の電磁石１６ａと、電磁石１６ａと所定の間隔を有するように、取付台１４ｃの電磁石１６ａより乗場側に設けられたバネ押え１６ｂと、このバネ押え１６ｂを遊貫して、一端部が磁力発生装置１０のツマミ１０ａに回動可能に連結されるとともに、電磁石１６ａ及びバネ押え１６ｂ間に配置された吸着鉄片１６ｃがその他端部に設けられたロッド１６ｄとから構成されている。また、このロッド１６ｄは、その一端部側にバネ押え１６ｅが設けられており、このバネ押え１６ｅと取付台１４ｃに固定されたバネ押え１６ｂとの間に設けられたコイルバネ１６ｆからなる第二の弾性体によって、常時ツマミ１０ａ側に付勢されている。
【００１９】
次に、上記のように構成されたエレベータ用リタイヤリングカム装置の動作について説明する。
図７はこの発明の実施の形態２におけるエレベータ用リタイヤリングカム装置の動作を説明するための要部詳細図であり、この図７は実施の形態２における図４相当図、また、前述した図６は実施の形態２における図２相当図である。図において、かご１が昇降路内を走行している場合、即ち、乗場の戸が施錠されている場合は、図６に示すように、小型の電磁石１６ａが通電され、電磁石１６ａとバネ押え１６ｂとの間に配置された吸着鉄片１６ｃが、コイルバネ１６ｆの付勢力に抗して電磁石１６ａ側に吸引される。吸着鉄片１６ｃが電磁石１６ａ側に移動すると、ツマミ１０ａに連結されたロッド１６ｄも電磁石１６ａ側に移動し、ツマミ１０ａが反乗場側に傾斜する。
【００２０】
一方、かご１がある乗場に停止し、乗場の戸の戸開が行われる場合、即ち、乗場の戸を解錠する場合には、図７に示すように、小型の電磁石１６ａへの通電が停止され、吸着鉄片１６ｃを吸引する磁力が消滅する。すると、コイルバネ１６ｆの付勢力によってバネ押え１６ｅが乗場側に力を受け、ツマミ１０ａに連結されたロッド１６ｄは乗場側に移動し、ツマミ１０ａが乗場側に傾斜する。
【００２１】
この発明の実施の形態２によれば、小型の電磁石１６ａが通電されていない場合には、コイルバネ１６ｆの付勢力によってツマミ１０ａが乗場側に傾斜する。即ち、電磁石１６ａが通電されないことによって、カム８が乗場側の解錠コロ３ｃに係合する状態、即ち、乗場の戸の解錠状態となるため、停電時等によって電磁石１６ａに電源が供給できない場合に、乗場の戸が施錠されてかご１内の利用客の救出が遅延するといった事故を防止することが可能である。なお、その他は、実施の形態１と同様の構成及び効果を有している。
【図面の簡単な説明】
【００２２】
【図１】この発明の実施の形態１におけるエレベータ用リタイヤリングカム装置の斜視図である。
【図２】この発明の実施の形態１におけるエレベータ用リタイヤリングカム装置の動作を説明するための図である。
【図３】図２における磁力発生装置の詳細図である。
【図４】この発明の実施の形態１におけるエレベータ用リタイヤリングカム装置の動作を説明するための図である。
【図５】図４における磁力発生装置の詳細図である。
【図６】この発明の実施の形態２におけるエレベータ用リタイヤリングカム装置の要部正面図である。
【図７】この発明の実施の形態２におけるエレベータ用リタイヤリングカム装置の動作を説明するための要部詳細図である。
【符号の説明】
【００２３】
１  かご
２  乗場の戸開閉装置桁
３ａ  解錠軸
３ｂ  コロ腕
３ｃ  解錠コロ
４  モータ
５  かご戸開閉装置桁
６  リンク受金
７ａ、７ｂ  リンク
８  カム
９  支持板
１０  磁力発生装置
１０ａ  ツマミ
１０ｂ  永久磁石
１０ｃ  筐体部
１０ｄ  摺動ベアリング
１１  バネ押え
１２ａ  バネ押え
１２ｂ  ロッド
１２ｃ  吸着鉄片
１３  コイルバネ
１４ａ、１４ｃ  取付台
１４ｂ  取付板
１５、１６  切換装置
１５ａ  モータ
１５ｂ  回動ナット付減速機
１５ｃ  ネジ棒
１６ａ  電磁石
１６ｂ、１６ｅ  バネ押え
１６ｃ  吸着鉄片
１６ｄ  ロッド
１６ｆ  コイルバネ
【図１】
2006016183.tif 000003
【図２】
2006016183.tif 000004
【図３】
2006016183.tif 000005
【図４】
2006016183.tif 000006
【図５】
2006016183.tif 000007
【図６】
2006016183.tif 000008
【図７】
2006016183.tif 000009